【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって行われる方法であって、
ワイヤレス通信ノードから第１のメッセージを受信することであって、前記第１のメッ
セージは、前記ワイヤレス通信ノードに伝送される第２のメッセージに応答して、前記ワ
イヤレス通信デバイスと前記ワイヤレス通信ノードとの間の無線リソース制御（ＲＲＣ）
接続を再開するように構成され、前記第２のメッセージは、前記ワイヤレス通信デバイス
と前記ワイヤレス通信ノードとの間の前記ＲＲＣ接続を再開することを要求する、ことと
、
第３のメッセージを前記ワイヤレス通信ノードに伝送することであって、前記第３のメ
ッセージは、前記ＲＲＣ接続の完了を示し、ＳＡＥ−一時モバイルサブスクライバアイデ
ンティティ（Ｓ−ＴＭＳＩ）を備え、前記Ｓ−ＴＭＳＩは、前記ワイヤレス通信デバイスと関連付けられるコンテキスト情報に合致される、前記ワイヤレス通信デバイスのアイデンティティを示し、前記コンテキスト情報は、前記ワイヤレス通信ノードと前記ワイヤレス通信デバイスとの間の以前のＲＲＣ接続の際に前記ワイヤレス通信デバイスによって記憶されていた、ことと
を含む、方法。
【請求項２】
前記第２のメッセージを前記ワイヤレス通信ノードに伝送することに応答して前記第１
のメッセージを受信することに基づいて、前記第３のメッセージを前記ワイヤレス通信ノ
ードに伝送することを判定することをさらに含む、請求項１に記載の方法。
【請求項３】
ワイヤレス通信ノードによって行われる方法であって、
ワイヤレス通信デバイスから第１のメッセージを受信することであって、前記第１のメ
ッセージは、前記ワイヤレス通信ノードと前記ワイヤレス通信デバイスとの間の無線リソ
ース制御（ＲＲＣ）接続を再開することを要求する、ことと、
前記第１のメッセージに応答して、第２のメッセージを前記ワイヤレス通信デバイスに
伝送することであって、前記第２のメッセージは、前記ワイヤレス通信ノードと前記ワイ
ヤレス通信デバイスとの間の前記ＲＲＣ接続を再開するように構成される、ことと、
前記ワイヤレス通信デバイスから第３のメッセージを受信することであって、前記第３
のメッセージは、前記ＲＲＣ接続の完了を示し、システムアーキテクチャエボリューショ
ン（ＳＡＥ）−一時モバイルサブスクライバアイデンティティ（Ｓ−ＴＭＳＩ）を備え、
前記Ｓ−ＴＭＳＩは、前記ワイヤレス通信デバイスと関連付けられるコンテキスト情報に合致される、前記ワイヤレス通信デバイスのアイデンティティを示し、前記コンテキスト情報は、前記ワイヤレス通信ノードと前記ワイヤレス通信デバイスとの間の以前のＲＲＣ接続の際に前記ワイヤレス通信デバイスによって記憶されていた、ことと
を含む、方法。
【請求項４】
前記第３のメッセージは、前記第２のメッセージを伝送することに応答して受信される
、請求項３に記載の方法。
【請求項５】
ワイヤレス通信デバイスによって行われる方法であって、
ワイヤレス通信ノードから専用通知メッセージを受信することであって、前記専用通知
メッセージは、透過モードにおいてパケットデータ収束プロトコル（ＰＤＣＰ）層を使用
して、シグナリング無線ベアラ（ＳＲＢ）の確立を示す、ことと、
アクセス層（ＡＳ）セキュリティの確立に先立って、透過モードにおいて前記ＰＤＣＰ
層を使用して、前記ＳＲＢを確立することと
を含む、方法。
【請求項６】
ワイヤレス通信ノードによって行われる方法であって、
専用通知メッセージをワイヤレス通信デバイスに伝送することであって、前記専用通知
メッセージは、透過モードにおいてパケットデータ収束プロトコル（ＰＤＣＰ）層を使用
して、シグナリング無線ベアラ（ＳＲＢ）の確立を示す、ことと、
アクセス層（ＡＳ）セキュリティの確立に先立って、透過モードにおいて前記ＰＤＣＰ
層を使用して、前記ＳＲＢを確立することと
を含む、方法。
【請求項７】
コンピュータ実行可能な命令を記憶する非一過性のコンピュータ可読媒体であって、前
記命令は、実行されると、請求項１〜６のいずれか１項に記載の方法のいずれか１つを行
う、非一過性のコンピュータ可読媒体。
【請求項８】
ワイヤレス通信デバイスであって、
ワイヤレス通信ノードから第１のメッセージを受信するように構成された受信機であっ
て、前記第１のメッセージは、前記ワイヤレス通信ノードに伝送される第２のメッセージ
に応答して、前記ワイヤレス通信デバイスと前記ワイヤレス通信ノードとの間の無線リソ
ース制御（ＲＲＣ）接続を再開するように構成され、前記第２のメッセージは、前記ワイ
ヤレス通信デバイスと前記ワイヤレス通信ノードとの間の前記ＲＲＣ接続を再開すること
を要求する、受信機と、
第３のメッセージを前記ワイヤレス通信ノードに伝送するように構成された伝送機であ
って、前記第３のメッセージは、前記ＲＲＣ接続の完了を示し、ＳＡＥ−一時モバイルサ
ブスクライバアイデンティティ（Ｓ−ＴＭＳＩ）を備え、前記Ｓ−ＴＭＳＩは、前記ワイヤレス通信デバイスと関連付けられるコンテキスト情報に合致される、前記ワイヤレス通信デバイスのアイデンティティを示し、前記コンテキスト情報は、前記ワイヤレス通信ノードと前記ワイヤレス通信デバイスとの間の以前のＲＲＣ接続の際に前記ワイヤレス通信デバイスによって記憶されていた、伝送機と
を備える、ワイヤレス通信デバイス。
【請求項９】
前記第２のメッセージを前記ワイヤレス通信ノードに伝送することに応答して前記第１
のメッセージを受信することに基づいて、前記第３のメッセージを前記ワイヤレス通信ノ
ードに伝送することを判定するように構成されている、少なくとも１つのプロセッサをさ
らに備える、請求項８に記載のワイヤレス通信デバイス。
【請求項１０】
ワイヤレス通信ノードであって、
ワイヤレス通信デバイスから第１のメッセージを受信するように構成された受信機であ
って、前記第１のメッセージは、前記ワイヤレス通信ノードと前記ワイヤレス通信デバイ
スとの間の無線リソース制御（ＲＲＣ）接続を再開することを要求する、受信機と、
前記第１のメッセージに応答して、第２のメッセージを前記ワイヤレス通信デバイスに
伝送するように構成されている、伝送機であって、前記第２のメッセージは、前記ワイヤ
レス通信ノードと前記ワイヤレス通信デバイスとの間の前記ＲＲＣ接続を再開するように
構成される、伝送機と
を備え、
前記受信機はさらに、前記ワイヤレス通信デバイスから第３のメッセージを受信するよ
うに構成され、前記第３のメッセージは、前記ＲＲＣ接続の完了を示し、システムアーキ
テクチャエボリューション（ＳＡＥ）−一時モバイルサブスクライバアイデンティティ（
Ｓ−ＴＭＳＩ）を備え、前記Ｓ−ＴＭＳＩは、前記ワイヤレス通信デバイスと関連付けられるコンテキスト情報に合致される、前記ワイヤレス通信デバイスのアイデンティティを示し、前記コンテキスト情報は、前記ワイヤレス通信ノードと前記ワイヤレス通信デバイスとの間の以前のＲＲＣ接続の際に前記ワイヤレス通信デバイスによって記憶されていた、ワイヤレス通信ノード。
【請求項１１】
前記第３のメッセージは、前記第２のメッセージを伝送することに応答して受信される
、請求項１０に記載のワイヤレス通信ノード。
【請求項１２】
ワイヤレス通信デバイスであって、
ワイヤレス通信ノードから専用通知メッセージを受信するように構成された受信機であ
って、前記専用通知メッセージは、透過モードにおいてパケットデータ収束プロトコル（
ＰＤＣＰ）層を使用して、シグナリング無線ベアラ（ＳＲＢ）の確立を示す、受信機と、
アクセス層（ＡＳ）セキュリティの確立に先立って、透過モードにおいて前記ＰＤＣＰ
層を使用して、前記ＳＲＢを確立するように構成されている、少なくとも１つのプロセッ
サと
を備える、ワイヤレス通信デバイス。
【請求項１３】
ワイヤレス通信ノードであって、
専用通知メッセージをワイヤレス通信デバイスに伝送するように構成された伝送機であ
って、前記専用通知メッセージは、透過モードにおいてパケットデータ収束プロトコル（
ＰＤＣＰ）層を使用して、シグナリング無線ベアラ（ＳＲＢ）の確立を示す、伝送機と、
アクセス層（ＡＳ）セキュリティの確立に先立って、透過モードにおいて前記ＰＤＣＰ
層を使用して、前記ＳＲＢを確立するように構成されている、少なくとも１つのプロセッ
サと
を備える、ワイヤレス通信ノード。